(57)【要約】【課題】画像を表示させるためのユーザーによる余計な操作を不用にするとともに、所望の画像を見やすくすることができるようにする。【解決手段】撮像装置２に記憶されている画像データに基づく画像を表示するための画像レイアウト枠が複数表示されており、複数の画像レイアウト枠の中から、撮像装置２から受信する画像データに基づく画像を表示するための画像レイアウト枠を指定する。そして、前記指定された画像レイアウト枠に表示するための画像データを送信するように撮像装置２に対して転送開始パラメータを送信し、撮像装置２から送信された画像データを受信したことに応じて、前記指定された画像レイアウト枠に前記受信した画像データに基づく画像を表示する。【選択図】図１
2009266023.tif 000002
【特許請求の範囲】
【請求項１】
画像を記憶した画像記憶装置と無線接続された画像表示装置であって、
前記画像記憶装置の位置を検出するための検出手段と、
前記画像記憶装置から送信された画像データを受信する受信手段と、
前記受信手段により受信した画像データに基づく画像を表示するための表示手段と、
前記検出手段により検出された前記画像記憶装置の位置に応じて、前記表示手段に画像を表示する際の画像の表示する位置を決定し、前記表示手段に画像を表示させる制御手段とを有することを特徴とする画像表示装置。
【請求項２】
前記検出手段により検出した前記画像記憶装置の位置に応じて、前記表示手段にアイコンを表示するアイコン表示手段を有することを特徴とする請求項１に記載の画像表示装置。
【請求項３】
画像を表示するための複数のレイアウト枠を前記表示手段に表示させるレイアウト枠表示手段を有し、
前記制御手段は、前記検出手段により検出された前記画像記憶装置の位置に応じて、前記複数のレイアウト枠からレイアウト枠を選択するレイアウト枠選択手段を有し、前記レイアウト枠選択手段により選択されたレイアウト枠に前記受信手段により受信した画像データに基づく画像を表示させることを特徴とする請求項１または２に記載の画像表示装置。
【請求項４】
前記検出手段は、前記画像記憶装置が前記画像表示装置から所定の範囲内に位置していることを検出することが可能であり、
前記レイアウト枠選択手段は、前記検出手段による検出の結果、前記画像記憶装置が前記画像表示装置から所定の範囲内に位置していないと判断された場合は、レイアウト枠の選択を解除することを特徴とする請求項３に記載の画像表示装置。
【請求項５】
前記画像表示装置は、
画像を表示するための複数のレイアウト枠を前記表示手段に表示させるレイアウト枠表示手段と、
前記検出手段により検出した前記画像記憶装置の位置に応じて、前記表示手段にアイコンを表示するアイコン表示手段とを有し、
前記制御手段は、複数のレイアウト枠のうち、レイアウト枠の範囲内に前記アイコンが表示されたレイアウト枠を選択するレイアウト枠選択手段を有することを特徴とする請求項１に記載の画像表示装置。
【請求項６】
前記制御手段は、前記画像記憶装置から画像データを受信している際に、前記レイアウト枠選択手段によって指定されたレイアウト枠に受信中であることを示す情報を前記表示手段に表示させることを特徴とする請求項３ないし５のいずれか１項に記載の画像表示装置。
【請求項７】
前記検出手段は、光または音を射出する射出手段と、前記射出手段から射出されて画像記憶装置に反射された光または音を入射する入射手段とを有し、前記入射手段に入射された光または音を検出することにより、前記画像記憶装置の位置を検出することを特徴とする請求項１ないし５のいずれか１項に記載の画像表示装置。
【請求項８】
前記検出手段は、前記画像記憶装置から送信された無線信号から、前記画像記憶装置が前記画像表示装置から所定の範囲内に位置していることを検出することを特徴とする請求項４に記載の画像表示装置。
【請求項９】
画像を記憶した画像記憶装置と、前記画像記憶装置と無線接続された画像表示装置を有する画像処理システムであって、
前記画像記憶装置は、
前記画像記憶装置に記憶されている画像データを前記画像表示装置に送信する送信手段を有し、
前記画像表示装置は、
前記画像記憶装置の位置を検出するための検出手段と、
前記画像記憶装置から送信された画像データを受信する受信手段と、
前記受信手段により受信した画像データに基づく画像を表示するための表示手段と、
前記検出手段により検出された前記画像記憶装置の位置に応じて、前記表示手段に画像を表示する際の画像の表示する位置を決定し、前記表示手段に画像を表示させる制御手段とを有することを特徴とする画像処理システム。
【請求項１０】
前記画像表示装置は、前記検出手段により検出した前記画像記憶装置の位置に応じて、前記表示手段にアイコンを表示するアイコン表示手段を有することを特徴とする請求項９に記載の画像処理システム。
【請求項１１】
前記画像表示装置は、画像を表示するための複数のレイアウト枠を前記表示手段に表示させるレイアウト枠表示手段を有し、
前記制御手段は、前記検出手段により検出された前記画像記憶装置の位置に応じて、前記複数のレイアウト枠からレイアウト枠を選択するレイアウト枠選択手段とを有し、前記レイアウト枠選択手段により選択されたレイアウト枠に前記受信手段により受信した画像データに基づく画像を表示させることを特徴とする請求項９または１０に記載の画像処理システム。
【請求項１２】
前記検出手段は、前記画像記憶装置が前記画像表示装置から所定の範囲内に位置していることを検出することが可能であり、
前記レイアウト枠選択手段は、前記検出手段による検出の結果、前記画像記憶装置が前記画像表示装置から所定の範囲内に位置していないと判断された場合は、レイアウト枠の選択を解除することを特徴とする請求項１１に記載の画像処理システム。
【請求項１３】
前記画像表示装置は、
画像を表示するための複数のレイアウト枠を前記表示手段に表示させるレイアウト枠表示手段と、
前記検出手段により検出した前記画像記憶装置の位置に応じて、前記表示手段にアイコンを表示するアイコン表示手段とを有し、
前記制御手段は、複数のレイアウト枠のうち、レイアウト枠の範囲内に前記アイコンが表示されたレイアウト枠を選択するレイアウト枠選択手段を有することを特徴とする請求項９に記載の画像処理システム。
【請求項１４】
前記制御手段は、前記画像記憶装置から画像データを受信している際に、前記レイアウト枠選択手段によって指定されたレイアウト枠に受信中であることを示す情報を前記表示手段に表示させることを特徴とする請求項１１ないし１３のいずれか１項に記載の画像処理システム。
【請求項１５】
前記検出手段は、光または音を射出する射出手段と、前記射出手段から射出されて画像記憶装置に反射された光または音を入射する入射手段とを有し、前記入射手段に入射された光または音を検出することにより、前記画像記憶装置の位置を検出することを特徴とする請求項９ないし１４のいずれか１項に記載の画像処理システム。
【請求項１６】
前記検出手段は、前記画像記憶装置から送信された無線信号から、前記画像記憶装置が前記画像表示装置から所定の範囲内に位置していることを検出することを特徴とする請求項１２に記載の画像処理システム。
【請求項１７】
前記画像記憶装置は、
記憶されている画像を表示する第２の表示手段を有し、
前記送信手段は、前記第２の表示手段に表示されている画像の画像データを前記画像表示装置に送信することを特徴とする請求項９ないし１６のいずれか１項に記載の画像処理システム。
【請求項１８】
前記画像記憶装置は、
前記第２の表示手段に表示される複数の画像の中から画像を選択する画像選択手段を有し、
前記送信手段は、前記画像選択手段により選択された画像の画像データを前記画像表示装置に送信することを特徴とする請求項１７に記載の画像処理システム。
【請求項１９】
前記画像記憶装置は、前記画像記憶装置の傾斜角または回転速度を検出する第２の検出手段を有し、
前記レイアウト枠選択手段は、前記第２の検出手段により検出された傾斜角または回転速度に応じて、レイアウト枠を選択することを特徴とする請求項１１ないし１４のいずれか１項に記載の画像処理システム。
【請求項２０】
前記レイアウト枠選択手段は、前記画像記憶装置の傾斜角または回転速度に応じて、現在選択されているレイアウトの選択を解除し、選択を解除したレイアウト枠の隣りのレイアウト枠を新たに選択することを特徴とする請求項１９に記載の画像処理システム。
【請求項２１】
画像を記憶した画像記憶装置と無線接続された画像表示装置における画像表示方法であって、
前記画像記憶装置の位置を検出するための検出工程と、
前記画像記憶装置から送信された画像データを受信する受信工程と、
前記検出工程において検出された前記画像記憶装置の位置に応じて、前記受信工程において受信した画像データに基づく画像を表示するための表示手段に画像を表示する際の画像の表示する位置を決定し、前記表示手段に画像を表示させる制御工程とを有することを特徴とする画像表示方法。
【請求項２２】
前記検出工程において検出した前記画像記憶装置の位置に応じて、前記表示手段にアイコンを表示するアイコン表示工程を有することを特徴とする請求項２１に記載の画像表示方法。
【請求項２３】
画像を表示するための複数のレイアウト枠を前記表示手段に表示させるレイアウト枠表示工程を有し、
前記制御工程においては、前記検出工程において検出された前記画像記憶装置の位置に応じて、前記複数のレイアウト枠からレイアウト枠を選択するレイアウト枠選択工程を有し、前記レイアウト枠選択工程において選択されたレイアウト枠に前記受信工程において受信した画像データに基づく画像を表示させることを特徴とする請求項２１または２２に記載の画像表示方法。
【請求項２４】
前記検出工程においては、前記画像記憶装置が前記画像表示装置から所定の範囲内に位置していることを検出することが可能であり、
前記レイアウト枠選択工程においては、前記検出工程における検出の結果、前記画像記憶装置が前記画像表示装置から所定の範囲内に位置していないと判断された場合は、レイアウト枠の選択を解除することを特徴とする請求項２３に記載の画像表示方法。
【請求項２５】
画像を表示するための複数のレイアウト枠を前記表示手段に表示させるレイアウト枠表示工程と、
前記検出工程において検出した前記画像記憶装置の位置に応じて、前記表示手段にアイコンを表示するアイコン表示工程とを有し、
前記制御工程においては、複数のレイアウト枠のうち、レイアウト枠の範囲内に前記アイコンが表示されたレイアウト枠を選択するレイアウト枠選択工程を有することを特徴とする請求項２１に記載の画像表示方法。
【請求項２６】
前記制御工程においては、前記画像記憶装置から画像データを受信している際に、前記レイアウト枠選択工程において指定されたレイアウト枠に受信中であることを示す情報を前記表示手段に表示させることを特徴とする請求項２３ないし２５のいずれか１項に記載の画像表示方法。
【請求項２７】
前記検出工程においては、光または音を射出する射出工程と、前記射出工程において射出されて画像記憶装置に反射された光または音を入射する入射工程とを有し、前記入射工程において入射された光または音を検出することにより、前記画像記憶装置の位置を検出することを特徴とする請求項２１ないし２５のいずれか１項に記載の画像表示方法。
【請求項２８】
前記検出工程においては、前記画像記憶装置から送信された無線信号から、前記画像記憶装置が前記画像表示装置から所定の範囲内に位置していることを検出することを特徴とする請求項２４に記載の画像表示方法。
【請求項２９】
画像を記憶した画像記憶装置と、前記画像記憶装置と無線接続された画像表示装置を有する画像処理システムにおいてコンピュータに実行させるプログラムであって、
前記画像記憶装置に記憶されている画像データを前記画像表示装置に送信する送信工程と、
前記画像記憶装置の位置を検出するための検出工程と、
前記画像記憶装置から送信された画像データを受信する受信工程と、
前記検出工程において検出された前記画像記憶装置の位置に応じて、前記受信工程において受信した画像データに基づく画像を表示するための表示手段に画像を表示する際の画像の表示する位置を決定し、前記表示手段に画像を表示させる制御工程とをコンピュータに実行させることを特徴とするプログラム。
【請求項３０】
請求項２９に記載のプログラムを記録したことを特徴とするコンピュータ読み取り可能な記録媒体。
【発明の詳細な説明】
【技術分野】
【０００１】
本発明は画像表示装置、画像処理システム、画像表示方法、プログラム及び記録媒体に関し、特に、レイアウトフォームで画像を表示するために用いて好適な技術に関する。
【背景技術】
【０００２】
撮像装置で撮影した画像データを可視化情報として出力する方法には、画像を表示装置でプリントする方法と、画像を表示装置に表示する方法との２通りがある。表示装置で画像をプリントする方法としては、撮像装置と表示装置とを有線通信または無線通信により接続し、パーソナルコンピュータ（ＰＣ）を経由しないで表示装置で写真（画像）を印刷することが可能なプリントシステムが提供されている。また、表示装置にメモリーカードを直接挿入し、ＰＣを経由しないで写真（画像）を印刷することが可能なプリントシステムも提供されている。
【０００３】
一方、表示装置で画像を表示する方法は、まず、撮像装置と表示装置とを有線通信または無線通信により接続し、撮像装置に記憶されている画像データを、表示装置を備えたＰＣに転送する。その後、ＰＣは、撮像装置から転送された画像データを読み出し、表示装置の画面に画像を表示する表示システムが提供されている。また、他の表示システムとしては、ＰＣにメモリーカードを直接挿入し、メモリーカードに記憶されている画像データを、表示装置を備えたＰＣに転送する。その後、ＰＣは、転送された画像データを読み出し、表示装置の画面に画像を表示する表示システムも提供されている。
【０００４】
このようなプリントシステムや表示システムでは、例えば、撮像装置で撮影した画像データを選択的に表示装置へ転送する場合、ユーザーは、撮像装置またはメモリーカードに記憶した画像データの中から転送を行う画像データを選択しなければならない。このように画像データを選択する方法としては、それぞれの装置のオペレーティングシステムとアプリケーションとが提供するウィンドウ表示を用いるのが一般的である。
【０００５】
ウィンドウ表示を用いて画像データを選択する技術としては、データ処理装置（表示装置）に表示される主ウィンドウ上に、新たに属性別のウィンドウ表示を行い、データ処理装置に記憶されているデータや画像を表示する。そして、ユーザーの操作により表示画面上でコピー対象として範囲指定されたデータの属性に対応して、それぞれ属性別のウィンドウを表示し、その属性別のウィンドウに対して、コピー対象として範囲指定されたデータを移動させて記憶するものがある。さらに、撮像装置が接続された際には、新たに属性別のウィンドウ表示を行い、撮像装置に記憶されている画像を表示することもできる（例えば、特許文献１参照）。
【０００６】
【特許文献１】特開２００６−２４４０６１号公報
【発明の開示】
【発明が解決しようとする課題】
【０００７】
一般的に、画像データを選択する際には、表示画面上では、主ウィンドウから画像データの選択ウィンドウへ画面表示が更新される。そして、画像データの選択が終了した後に、再び主ウィンドウが表示される。ところが、画像データを選択する時に主ウィンドウの全部または一部が画面上から消えてしまうため、主ウィンドウの状態を確認することができず、ユーザーによる余計な操作が必要になってしまうという問題点があった。
【０００８】
そこで、前記特許文献１に記載されている方法では、画像データを選択する時に、主ウィンドウとは重ならないように、別のウィンドウを表示することによって、主ウィンドウを表示しながら画像データを選択することができる。
【０００９】
しかしながら、特許文献１に記載されている方法では、表示画面上に主ウィンドウと別ウィンドウとを同時に表示する。このため、表示領域の小さい画面では主ウィンドウ及び別ウィンドウの表示が小さくなり、一覧表示されている画像が小さく見づらくなってしまうという問題点があった。
【００１０】
本発明は前述の問題点に鑑み、画像を表示させるためのユーザーによる余計な操作を不用にするとともに、所望の画像を見やすくすることができるようにすることを目的としている。
【課題を解決するための手段】
【００１１】
本発明の画像表示装置は、画像を記憶した画像記憶装置と無線接続された画像表示装置であって、前記画像記憶装置の位置を検出するための検出手段と、前記画像記憶装置から送信された画像データを受信する受信手段と、前記受信手段により受信した画像データに基づく画像を表示するための表示手段と、前記検出手段により検出された前記画像記憶装置の位置に応じて、前記表示手段に画像を表示する際の画像の表示位置を決定し、前記表示手段に画像を表示させる制御手段とを有することを特徴とする。
【００１２】
本発明の画像処理システムは、画像を記憶した画像記憶装置と、前記画像記憶装置と無線接続された画像表示装置を有する画像処理システムであって、前記画像記憶装置は、前記画像記憶装置に記憶されている画像データを前記画像表示装置に送信する送信手段を有し、前記画像表示装置は、前記画像記憶装置の位置を検出するための検出手段と、前記画像記憶装置から送信された画像データを受信する受信手段と、前記受信手段により受信した画像データに基づく画像を表示するための表示手段と、前記検出手段により検出された前記画像記憶装置の位置に応じて、前記表示手段に画像を表示する際の画像の表示位置を決定し、前記表示手段に画像を表示させる制御手段とを有することを特徴とする。
【００１３】
本発明の画像表示方法は、画像を記憶した画像記憶装置と無線接続された画像表示装置における画像表示方法であって、前記画像記憶装置の位置を検出するための検出工程と、前記画像記憶装置から送信された画像データを受信する受信工程と、前記検出工程において検出された前記画像記憶装置の位置に応じて、前記受信工程において受信した画像データに基づく画像を表示するための表示手段に画像を表示する際の画像の表示位置を決定し、前記表示手段に画像を表示させる制御工程とを有することを特徴とする。
【００１４】
本発明のプログラムは、画像を記憶した画像記憶装置と、前記画像記憶装置と無線接続された画像表示装置を有する画像処理システムにおいてコンピュータに実行させるプログラムであって、前記画像記憶装置に記憶されている画像データを前記画像表示装置に送信する送信工程と、前記画像記憶装置の位置を検出するための検出工程と、前記画像記憶装置から送信された画像データを受信する受信工程と、前記検出工程において検出された前記画像記憶装置の位置に応じて、前記受信工程において受信した画像データに基づく画像を表示するための表示手段に画像を表示する際の画像の表示位置を決定し、前記表示手段に画像を表示させる制御工程とをコンピュータに実行させることを特徴とする。
【００１５】
本発明の記録媒体は、前記に記載のプログラムを記録したことを特徴とする。
【発明の効果】
【００１６】
本発明によれば、表示ウィンドウの切り替えが不要となるため、画像を表示させるためのユーザーによる余計な操作を不用にすることができる。また、指定した位置に画像を表示するため、所望の画像を見やすくすることができる。
【発明を実施するための最良の形態】
【００１７】
（第１の実施形態）
以下、図面を参照しながら本発明を実施するための最良の実施形態を詳細に説明する。ただし、本実施形態において例示される構成部品の寸法、形状、それらの相対配置などは、本発明が適用される装置の構成や各種条件により適宜変更されるべきものであり、本発明がそれらの例示に限定されるものではない。
【００１８】
図１は、本実施形態に係る表示装置１と撮像装置２とが無線通信により接続が確立した状態の画像処理システムのユーザーインターフェースの表示例を示す図である。ＩＥＥＥ８０２．１１ｂのアドホックモードで任意のＥＳＳＩＤ（Ｅｘｔｅｎｄｅｄ  Ｓｅｒｖｉｃｅ  Ｓｅｔ  Ｉｄｅｎｔｉｆｉｅｒ）、任意のＷＥＰキー（Ｗｉｒｅｄ  Ｅｑｕｉｖａｌｅｎｔ  Ｐｒｉｖａｃｙ  Ｋｅｙ）、任意のチャンネルを設定している。そして、認証処理が完了し、無線通信接続が確立している様子を図１では示している。
【００１９】
図１において、表示装置１の液晶表示器１０６には、撮像装置２と接続されていることを明示する文字やアイコンが表示されており、撮像装置２の液晶表示器２０６には、表示装置１と接続されていることを明示する文字やアイコンが表示されている。表示装置１と撮像装置２とは、無線通信路１８０を介して無線通信接続されている。なお、本実施形態では、説明を簡単なものとするため、ＩＥＥＥ８０２．１１ｂのアドホックモードで無線通信接続していることを前提にして説明するが、他の無線通信規格を用いても構わない。
【００２０】
図２は、本実施形態に係る表示装置１の構成例を示すブロック図である。
図２において、ＣＰＵ１０１は表示装置１全体の制御を司り、ＲＡＭ１０２はＣＰＵ１０１のワークエリアとして使用される。ＲＯＭ１０３はＣＰＵ１０１の処理手順のプログラム等を記憶しており、例えば、フラッシュメモリなどの書き換えが可能な不揮発性メモリで構成されている。ＣＰＵ１０１は、ＲＯＭ１０３からプログラムを読み出し、読み出したプログラムに従って演算や各部の制御を行う。
【００２１】
画像処理部１０４は、デジタル画像データ等を表示画面に表示することが可能なデータに変換するために用いられ、表示制御部１０５は各種表示を行うための制御部である。液晶表示器１０６は例えばＬＣＤであり、表示装置１の画面に映像を表示するための表示部として使用される。発光ダイオード１０７は、表示装置１の処理状態を示すインジケーターとして使用され、本実施形態では、図１に示すように表示装置１の液晶表示器１０６の下側に配置されている。
【００２２】
外部記憶装置制御部１０８は、メモリソケット１０９に挿入されたコンパクトフラッシュ（登録商標）やメモリースティック（登録商標）等の記憶媒体に記憶されているデジタルデータの読み出し及び記憶媒体に対するデジタルデータの書き込みの制御を行う。無線通信部１１０は通信アンテナ１１１を介して外部の無線通信機器と無線通信を行うためのものである。なお、本実施形態の表示装置１は、無線通信部１１０と通信アンテナ１１１とを組み合わせて無線信号の強弱を検出することができる。また、本実施形態では、通信アンテナ１１１は、図１に示すように表示装置１の端部に配置されている。
【００２３】
操作制御部１１２は、図１に示すような各種操作を行う操作キー１１３及び操作ボタン１１４の操作情報をＣＰＵ１０１へ送るためのものである。デジタル映像信号制御部１１５は、デジタル映像信号コネクタ１１６から入力されたデジタル映像信号を液晶表示器１０６の表示画面に表示することが可能なデータに変換するためのものである。アナログ映像信号制御部１１７は、アナログ映像信号コネクタ１１８から入力されたアナログ映像信号を液晶表示器１０６の表示画面に表示することが可能なデータに変換するためのものである。ＵＳＢ制御部１１９はＵＳＢインターフェースの制御部であり、ＵＳＢコネクタ１２０を介して他のＵＳＢインターフェースを有する外部の装置と接続することができる。
【００２４】
光近接センサ制御部１２１は、液晶表示器１０６に埋め込まれるように配設されている発光センサ１２２及び受光センサ１２３の制御を行う。なお、本実施形態の表示装置１は、光近接センサ制御部１２１の制御により発光センサ１２２から光を発し、近接している物体で反射された反射光を受光センサ１２３で受光することができる。本実施形態の表示装置１は、発光センサ１２２と受光センサ１２３とをマトリクス駆動することにより、近接している物体の座標値を検出することができる。
【００２５】
無線近接アンテナ制御部１２４は、図１に示すように表示装置１の枠体に配設されている第１の無線近接アンテナ１２５及び第２の無線近接アンテナ１２６の制御を行う。なお、本実施形態の表示装置１は、無線通信部１１０、通信アンテナ１１１、無線近接アンテナ制御部１２４、第１の無線近接アンテナ１２５及び第２の無線近接アンテナ１２６を組み合わせて無線信号の強弱を検出することができる。無線信号の強弱により、通信中の機器と表示装置との距離や位置を検出できる。
【００２６】
このように、本実施形態の表示装置は、上述した光近接センサと無線アンテナを用いることにより、近接した通信中の外部機器の表示装置との距離や、表示装置との相対位置関係を座標値として検出することができる。
【００２７】
図３は、本実施形態に係る撮像装置２の構成例を示すブロック図である。
図３において、ＣＰＵ２０１は撮像装置２全体の制御を司り、ＲＡＭ２０２はＣＰＵ２０１のワークエリアとして使用される。ＲＯＭ２０３はＣＰＵ２０１の処理手順プログラム等を記憶しており、例えば、フラッシュメモリ等の書き換えが可能な不揮発性メモリで構成されている。ＣＰＵ２０１は、ＲＯＭ２０３からプログラムを読み出し、読み出したプログラムに従って演算や各部の制御を行う。
【００２８】
画像処理部２０４は、撮像された画像をデジタル画像データに変換するために用いられ、表示制御部２０５は各種表示を行う制御部である。液晶表示器２０６は例えばＬＣＤであり、撮像した画像の確認及び各種設定を行う際のユーザーインターフェースを表示するための表示部として使用される。発光ダイオード２０７は、撮像装置２の処理状態を示すインジケーターとして使用される。本実施形態では、図１に示すように撮像装置２の液晶表示器２０６の上側に配置されている。
【００２９】
外部記憶装置制御部２０８は、メモリソケット２０９に挿入されたコンパクトフラッシュ（登録商標）やメモリースティック（登録商標）等の記憶媒体に対するデジタルデータの書き込み及び記憶媒体に記憶されているデジタルデータの読み出しの制御を行う。無線通信部２１０は、通信アンテナ２１１を介して無線通信を行うためのものである。なお、本実施形態の撮像装置２は、無線通信部２１０と通信アンテナ２１１とを組み合わせて無線信号の強弱を検出することができる。また、本実施形態では、通信アンテナ２１１は、図１に示すように撮像装置２の端部に配置されている。
【００３０】
操作制御部２１２は、図１に示すような各種操作を行う操作キー２１３及び操作ボタン２１４の操作情報をＣＰＵ２０１へ送るためのものである。撮像素子制御部２１５は、撮像装置２の撮像素子２１６の制御を行う制御部である。光学ユニット２１８は、主としてレンズ及びその駆動系で構成されており、光学ユニット制御部２１７は光学ユニット２１８の制御を行う。
【００３１】
ＵＳＢ制御部２１９は、ＵＳＢインターフェースの制御部であり、ＵＳＢコネクタ２２０を介して他のＵＳＢインターフェースを有する装置と接続することができる。第２の検出手段である傾きセンサ制御部２２１は、傾きセンサ２２２を制御して撮像装置２の縦横配置や回転動作を検出するためのものである。
【００３２】
次に、前述した構成からなる表示装置１及び撮像装置２において、レイアウトフォームを選択してから、画像レイアウト枠を指定し、画像データの転送を行うまでの処理手順について説明する。
【００３３】
図４は、本実施形態の表示装置１と撮像装置２との間における画像データの転送処理手順の一例を示すフローチャートである。なお、図４に示す表示装置１の各ステップは、ＣＰＵ１０１の制御によって行われ、撮像装置２の各ステップは、ＣＰＵ２０１の制御によって行われる。本実施形態では、液晶表示器１０６を備えた表示装置１と液晶表示器２０６を備えた撮像装置２との間で、レイアウトフォームを選択してから、画像を挿入する対象となる画像レイアウト枠を決定し、画像データの転送を行う。
【００３４】
まず、ステップＳ１４１において、ユーザーにより表示装置１の操作キー１１３または操作ボタン１１４が操作されると、表示装置１側の操作制御部１１２はレイアウト枠選択手段として、ユーザーの操作に応じて画像を挿入するレイアウトフォームを選択する。そして、表示制御部１０５はレイアウト枠表示手段として機能し、選択されたレイアウトフォームを液晶表示器１０６に表示する。このとき、表示制御部１０５は、表示装置１のＲＯＭ１０３、またはメモリソケット１０９に挿入されている記憶媒体に記憶されたレイアウトフォームを表示する。
【００３５】
また、レイアウトフォームに表示される複数の画像レイアウト枠は、表示装置１の液晶表示器１０６において、Ｘ領域及びＹ領域の範囲を定義している。具体的に説明するため、ステップＳ１４１でレイアウトフォームを選択した時の表示装置１及び撮像装置２におけるユーザーインターフェースの表示例について、図５を参照しながら説明する。
【００３６】
図５に示すように、表示装置１の液晶表示器１０６には、第１の画像レイアウト枠１５１〜第３の画像レイアウト枠１５３を有するレイアウトフォームが表示されている。さらに、画像記憶装置として撮像装置２と接続していることを明示する文字及びアイコンとがアイコン表示されている。一方、撮像装置２の液晶表示器２０６には、メモリソケット２０９に挿入された記憶媒体に記憶されている画像データの一覧画像が表示されている。
【００３７】
次に、ステップＳ１４２において、ＣＰＵ１０１は指定手段として機能し、ユーザーの操作に応じて１枚目の画像を挿入する対象となる画像レイアウト枠を指定する。なお、ステップＳ１４２における画像を挿入するための画像レイアウト枠を指定する処理については図６に示すフローチャートに従って行われる。
【００３８】
図６は、本実施形態における画像レイアウト枠を指定する処理手順の一例を示すフローチャートである。なお、図６に示す処理は、ＣＰＵ１０１の制御によって行われる。
まず、ステップＳ１６１において、ユーザーにより表示装置１の操作キー１１３または操作ボタン１１４が操作されると、操作制御部１１２は、制御信号を表示制御部１０５に送る。そして、表示制御部１０５は、液晶表示器１０６に表示されているカメラアイコンを、画像を挿入する対象となる画像レイアウト枠内に移動させる。次に、ステップＳ１６２において、ＣＰＵ１０１により液晶表示器１０６におけるカメラアイコンが位置する座標値を取得する。そして、ステップＳ１６３において、画像を挿入する対象となる画像レイアウト枠を指定する。
【００３９】
具体的に説明するために、ステップＳ１６１において画像を挿入する対象となる第２の画像レイアウト枠１５２を選択した時の表示装置１及び撮像装置２におけるユーザーインターフェースの表示例について、図７を参照しながら説明する。また、ステップＳ１６２において表示装置１の液晶表示器１０６におけるカメラアイコンの位置する座標値を取得する際の表示画面の概念図を図８に示す。
【００４０】
図７に示す例では、画像レイアウト枠の範囲外に位置していたカメラアイコンをステップＳ１６１で１枚目の画像を挿入する対象となる第２の画像レイアウト枠１５２内に移動させる。すると、表示装置１の液晶表示器１０６において、第２の画像レイアウト枠１５２の表示枠を強調する。そして、ユーザーに対して選択中であることを明示する。一方、撮像装置２の液晶表示器２０６には、メモリソケット２０９に挿入されている記憶媒体に記憶されている画像データの一覧画像が表示されている。
【００４１】
前述したように、本実施形態の表示装置１では、表示中の複数の画像レイアウト枠のＸ領域及びＹ領域をそれぞれ定義している。例えば、第２の画像レイアウト枠１５２については、図８に示すように、第２の画像レイアウト枠１５２のＸ領域はＸ１からＸ２までと定義し、Ｙ領域はＹ１からＹ２までと定義している。
【００４２】
ステップＳ１６１でユーザーの操作に応じてカメラアイコンを移動すると、ＣＰＵ１０１は液晶表示器１０６におけるカメラアイコンの座標値（Ｘ、Ｙ）を表示制御部１０５から取得する。そして、ステップＳ１６３において、予め定義さている第１の画像レイアウト枠１５１〜第３の画像レイアウト枠１５３のＸ領域及びＹ領域の中から、カメラアイコンの座標値（Ｘ、Ｙ）を内包する画像レイアウト枠を、画像を挿入する対象として指定する。図８に示す例では、第２の画像レイアウト枠１５２のＸ領域及びＹ領域の範囲内にカメラアイコンの座標値（Ｘ、Ｙ）が設定されている。以上のような手順で画像を挿入する対象となる画像レイアウト枠を指定すると、図４のステップＳ１４３に進む。
【００４３】
次に、ステップＳ１４３において、無線通信部１１０は、受信可能な画像フォーマット、及びサイズ情報を含む転送開始パラメータを撮像装置２へ送信する。一方、撮像装置２側では、ステップＳ２４１において、無線通信部２１０により、表示装置１より送られた転送開始パラメータを受信する。そして、ステップＳ２４２において、撮像装置２側では、ＣＰＵ２０１により表示装置１が受信可能な画像フォーマット、及びサイズ情報をＲＡＭ２０２に記憶する。
【００４４】
具体的に説明するために、ステップＳ２４２で表示装置１より送信された転送開始パラメータを受信し、転送開始パラメータを記憶した時の表示装置１及び撮像装置２におけるユーザーインターフェースの表示例を、図９を参照しながら説明する。図９に示すように、表示装置１の液晶表示器１０６において、画像を挿入する対象となる第２の画像レイアウト枠１５２の表示枠を強調し、ユーザーに対して選択中であることを明示する。
【００４５】
一方、撮像装置２の液晶表示器２０６には、メモリソケット２０９に挿入された記憶媒体に記憶されている画像データの一覧画像が表示されている。転送開始パラメータを受信すると、一覧画像のうち、選択中の画像を他の画像より拡大し、表示枠を強調して、ユーザーに対して選択中であることを明示する。そして、ユーザーに対し、選択中の画像データは転送可能な状態であることを明示する文字及びアイコンを表示する。
【００４６】
一方、表示装置１では、ステップＳ１４４において、無線通信部１１０は要求手段として機能し、指定された画像レイアウト枠に画像を挿入するための画像データ要求を撮像装置２へ送信する。この処理により、撮像装置２では、ステップＳ２４３において、無線通信部２１０により画像データ要求を受信する。次に、ステップＳ２４４において、撮像装置２側の操作制御部２１２は、ユーザーの操作に応じてメモリソケット２０９に挿入された記憶媒体に記憶されている画像データの中から、指定された画像レイアウト枠に挿入する１枚目の画像データを選択する。そして、ステップＳ２４５において、無線通信部２１０により、選択された１枚目の画像データを表示装置１へ送信する。
【００４７】
具体的に説明するために、撮像装置２で選択された１枚目の画像データを表示装置１へ送信している最中の表示装置１及び撮像装置２におけるユーザーインターフェースの表示例について、図１０を参照しながら説明する。撮像装置２では、第２の画像レイアウト枠１５２に挿入する画像として「画像７」が選択されている。「画像７」の画像データを受信中の表示装置１、及び「画像７」の画像データを送信中の撮像装置２では、「画像７」の画像データを送受信中であることを共にステータスバーとして表示する。これにより、ユーザーに対して「画像７」の画像データを送受信中であることを明示する。
【００４８】
以上のような手順により、表示装置１側のステップＳ１４５において、無線通信部１１０により、１枚目の画像データを受信する。そして、ステップＳ１４６において、受信した画像データをＲＡＭ１０２に記憶する。次に、ステップＳ１４７において、表示装置１の画像処理部１０４は、ＲＡＭ１０２に記憶した画像データを画面に表示することが可能なデータに変換し、表示制御部１０５は、指定された画像レイアウト枠内に画像を表示する。
【００４９】
次に、ステップＳ１４８において、表示装置１の無線通信部１１０により、画像データの取得を終了した旨の情報を撮像装置２へ送信する。そして、撮像装置２側では、ステップＳ２４６において、無線通信部２１０により、表示装置１から画像データの取得を終了した旨の情報を受信する。
【００５０】
具体的に説明するために、１枚目の画像に相当する「画像７」の画像データの受信が終了した表示装置１、及び「画像７」の画像データの送信が終了した撮像装置２におけるユーザーインターフェースの表示例について、図１１を参照しながら説明する。１枚目の画像に相当する「画像７」の画像データを受信した表示装置１では、１枚目の画像を挿入する対象として指定された第２の画像レイアウト枠１５２に「画像７」を表示している。
【００５１】
このとき、表示装置１のカメラアイコンは第２の画像レイアウト枠１５２内にあるため、表示装置１では、画像を挿入する対象となる第２の画像レイアウト枠１５２の表示枠を強調して、ユーザーに対し選択中であることを明示する。また、撮像装置２側でも、選択中の画像データの「画像７」が転送可能な状態であることを明示する。
【００５２】
次に、表示装置１側のステップＳ１４９において、ユーザーの操作により、操作制御部１１２は、表示装置１の液晶表示器１０６に表示された画像レイアウト枠のいずれかに挿入する画像の追加が有るか否かを判断する。この判断の結果、表示装置１の液晶表示器１０６に表示された画像レイアウト枠に挿入する画像の追加がない場合は、ステップＳ１５０に進む。そして、ステップＳ１５０において、表示装置１の無線通信部１１０により、画像データ転送終了情報を含む転送終了パラメータを撮像装置２に送信する。
【００５３】
一方、ステップＳ１４９の判断の結果、表示装置１の液晶表示器１０６に表示された画像レイアウト枠に挿入する画像の追加がある場合は、ステップＳ１４２へ戻る。そして、前述した手順によって、ステップＳ１４３では、転送開始パラメータを撮像装置２に再度送信する。
【００５４】
一方、撮像装置２側では、ステップＳ２４７において、無線通信部２１０により、表示装置１から転送開始パラメータの受信を開始したか否かを判断する。この判断の結果、転送開始パラメータの受信を開始した場合は、ステップＳ２４１に戻る。一方、ステップＳ２４７の判断の結果、転送開始パラメータの受信を開始していない場合は、ステップＳ２４８において、無線通信部２１０により、表示装置１から転送終了パラメータを受信したか否かを判断する。この判断の結果、転送終了パラメータを受信していない場合は、ステップＳ２４７に戻る。一方、ステップＳ２４８の判断の結果、転送終了パラメータを受信した場合は、そのまま処理を終了する。
【００５５】
本実施形態では、図４において、破線４０１で囲まれた処理を繰り返すことにより、画像を挿入する対象となる画像レイアウト枠の指定処理と画像の挿入処理とを繰り返すことができる。具体的に説明するために、表示装置１と撮像装置２との間で、２枚目の画像を挿入するための画像レイアウト枠を指定し、２枚目の画像データの転送を行うまでの処理を説明する。
【００５６】
図４のステップＳ１４９の判断の結果、挿入する画像データの追加がある場合は、ステップＳ１４２へ戻り、２枚目の画像を挿入する対象となる画像レイアウト枠を指定する。ステップＳ１０２における画像レイアウト枠を指定する処理は、図６に示したフローチャートに従って行われる。
【００５７】
図６のステップＳ１６１において、ユーザーにより表示装置１の操作キー１１３または操作ボタン１１４が操作されると、操作制御部１１２は、制御信号を表示制御部１０５に送る。そして、表示制御部１０５は、液晶表示器１０６に表示されているカメラアイコンを、２枚目の画像を挿入する対象となる画像レイアウト枠内に移動させる。次に、ステップＳ１６２において、ＣＰＵ１０１により液晶表示器１０６におけるカメラアイコンが位置する座標値を取得する。そして、ステップＳ１６３において、２枚目の画像を挿入する対象となる画像レイアウト枠を指定する。
【００５８】
ステップＳ１４２で２枚目の画像を挿入する対象となる画像レイアウト枠を選択した後は、ステップＳ１４３において、無線通信部１１０により、受信可能な画像フォーマット、及びサイズ情報を含む転送開始パラメータを撮像装置２へ送信する。一方、撮像装置２側では、ステップＳ２４１において、無線通信部２１０により、表示装置１より送られた転送開始パラメータを受信する。そして、ステップＳ２４２において、撮像装置２側では、ＣＰＵ２０１により表示装置１が受信可能な画像フォーマット、及びサイズ情報をＲＡＭ２０２に記憶する。
【００５９】
具体的に説明するために、ステップＳ２４２で表示装置１より送信された転送開始パラメータを受信し、転送開始パラメータを記憶した時の表示装置１及び撮像装置２におけるユーザーインターフェースの表示例について、図１２を参照しながら説明する。なお、ステップＳ１６２において、液晶表示器１０６におけるカメラアイコンが位置する座標値を取得する際の表示画面の概念図は、図８と同様である。
【００６０】
図１２に示すように、第２の画像レイアウト枠１５２には、１枚目の画像に相当する「画像７」が既に表示されている。本実施形態では、ユーザーにより、２枚目の画像を挿入する対象となる画像レイアウト枠として第３の画像レイアウト枠１５３が選択されたものとする。
【００６１】
図１２に示す例では、ステップＳ１６１で２枚目の画像を挿入する対象となる第３の画像レイアウト枠１５３内にカメラアイコンが移動すると、表示装置１の液晶表示器１０６において、第３の画像レイアウト枠１５３の表示枠を強調する。そして、ユーザーに対して選択中であることを明示する。このように、指定されていた画像レイアウト枠から外にカメラアイコンを移動させることによって、指定を解除することができる。
【００６２】
一方、撮像装置２の液晶表示器２０６（第２の表示手段）には、メモリソケット２０９に挿入されている記憶媒体に記憶されている画像データの一覧画像が表示されている。さらに、選択中の画像データに相当する「画像５」を他の画像より拡大し、表示枠を強調して、ユーザーに対して選択中であることを明示する。そして、ユーザーに対し、選択中の画像データは転送可能な状態であることを明示する文字及びアイコンを表示する。
【００６３】
一方、表示装置１では、ステップＳ１４４において、無線通信部１１０により、指定されたレイアウト枠に画像を挿入するための画像データ要求を撮像装置２へ送信する。この処理により、撮像装置２側では、ステップＳ２４３において、無線通信部２１０により画像データ要求を受信する。次に、ステップＳ２４４において、撮像装置２側の操作制御部２１２は、ユーザーの操作に応じてメモリソケット２０９に挿入された記憶媒体に記憶されている画像データの中から、指定された画像レイアウト枠に挿入するための２枚目の画像データを選択する。そして、ステップＳ２４５において、無線通信部２１０により、操作制御部２１２が画像選択手段として機能したことにより選択された２枚目の画像データを表示装置１へ送信する。
【００６４】
具体的に説明するために、撮像装置２で選択された２枚目の画像データを表示装置１へ送信している最中のユーザーインターフェースの表示例について、図１３を参照しながら説明する。撮像装置２では、第３の画像レイアウト枠１５３に挿入する画像として「画像５」が選択されている。「画像５」の画像データを受信中の表示装置１、及び「画像５」の画像データを送信中の撮像装置２では、「画像５」の画像データを送受信中であることを共にステータスバーとして表示する。これにより、ユーザーに対して「画像５」の画像データを送受信中であることを明示する。
【００６５】
以上のような手順により、表示装置１側のステップＳ１４５において、無線通信部１１０により、２枚目の画像データを受信する。そして、ステップＳ１４６において、受信した画像データをＲＡＭ１０２に記憶する。次に、ステップＳ１４７において、表示装置１の画像処理部１０４は、ＲＡＭ１０２に記憶した画像データを画面に表示することが可能なデータに変換し、表示制御部１０５は、指定されたレイアウト枠内に画像を表示する。
【００６６】
次に、ステップＳ１４８において、表示装置１の無線通信部１１０により、画像データの取得を終了した旨の情報を撮像装置２へ送信する。そして、撮像装置２側では、ステップＳ２４６において、無線通信部２１０により、表示装置１から画像データの取得を終了した旨の情報を受信する。
【００６７】
具体的に説明するために、２枚目の画像に相当する「画像５」の画像データの受信が終了した表示装置１、及び「画像５」の画像データの送信が終了した撮像装置２におけるユーザーインターフェースの表示例について、図１４を参照しながら説明する。２枚目の画像に相当する「画像５」の画像データを受信した表示装置１では、２枚目の画像を挿入する対象として指定された第３の画像レイアウト枠１５３に「画像５」を表示している。
【００６８】
このとき、表示装置１のカメラアイコンは第３の画像レイアウト枠１５３内にあるため、表示装置１では、画像を挿入する対象となる第３の画像レイアウト枠１５３の表示枠を強調して、ユーザーに対して選択中であることを明示する。また、撮像装置２側でも、選択中の画像データの「画像５」が転送可能な状態であることを明示する。
【００６９】
以上のように、図４のフローチャートの中で、破線４０１で囲まれた処理を繰り返し、表示装置１と撮像装置２との間で、２枚目の画像を挿入するための画像レイアウト枠を指定し、２枚目の画像データの転送を行う。
【００７０】
次に、表示装置１側のステップＳ１４９において、ユーザーの操作により、操作制御部１１２は、表示装置１の液晶表示器１０６に表示された画像レイアウト枠の何れかに挿入する画像の追加が有るか否かを判断する。この判断の結果、表示装置１の液晶表示器１０６に表示された画像レイアウト枠の何れかに挿入する画像の追加がない場合は、前述したように、ステップＳ１５０において、転送終了パラメータを撮像装置２へ送信する。
【００７１】
具体的に説明するために、図４に示すフローチャートの処理を終了した時の表示装置１及び撮像装置２におけるユーザーインターフェースの表示例について、図１５を参照しながら説明する。図１に示した表示例と同様に、表示装置１の液晶表示器１０６には、撮像装置２と接続していることを明示する文字やアイコンが表示されており、撮像装置２の液晶表示器２０６には、表示装置１と接続していることを明示する文字やアイコンが表示されている。表示装置１と撮像装置２とは、無線通信路１８０を介して無線通信接続されている。図１５に示す表示例では、表示装置１の液晶表示器１０６には、図４のステップＳ１４１で選択されたレイアウトフォームにおいて、第２の画像レイアウト枠１５２には「画像７」が表示され、第３の画像レイアウト枠１５３には「画像５」が表示されている。
【００７２】
図４に示すフローチャートの処理を終了した後は、表示装置１ではレイアウトフォーム内に文字を追加したり、挿入された「画像７」及び「画像５」を編集したりすることができる。なお、画像が挿入されていない第１の画像レイアウト枠１５１に３枚目の画像を挿入する場合や、既に挿入済みの「画像７」及び「画像５」を他の画像に差し替える場合は、図４に示すフローチャートの処理を再度実行する。
【００７３】
図４に示した処理により、第２の画像レイアウト枠１５２に１枚目の画像を挿入し、第３の画像レイアウト枠１５３に２枚目の画像を挿入した時の、表示装置１のＲＡＭ１０２における画像処理用メモリマップの使用概念の一例を図１６に示す。
【００７４】
１枚目の画像データを受信する前は、図１６（ａ）に示すように画像処理用メモリマップの全てのアドレスは空の状態である。図４のステップＳ１４６で１枚目の画像データを記憶する際には、図１６（ｂ）に示すように画像処理用メモリマップのアドレス「ＡＤＲ＿００１」に１枚目の画像データを記憶する。そして、画像処理部１０４は１枚目の画像データを画面表示することが可能なデータに変換し、表示制御部１０５は、指定された第２の画像レイアウト枠１５２に画像を表示する。
【００７５】
次に、図４の破線４０１で囲まれた処理を繰り返し、ステップＳ１４６で２枚目の画像データを記憶する際には、図１６（ｃ）に示すように画像処理用メモリマップのアドレス「ＡＤＲ＿００２」に２枚目の画像データを記憶する。そして、画像処理部１０４は２枚目の画像データを画面表示することが可能なデータに変換し、表示制御部１０５は、指定された第３の画像レイアウト枠１５３内に画像を表示する。
【００７６】
以上説明したように本実施形態によれば、レイアウトフォームに表示された画像レイアウト枠にカメラアイコンを移動させるだけで、表示ウィンドウの切り替えを不要にして画像を表示させることができる。また、撮像装置２で撮影した画像データを選択的に表示装置へ転送する際に、画像レイアウト枠を指定すると、転送開始パラメータを撮像装置に転送するため、所望の画像データを簡単に得ることができる。さらに、画像データを転送した後に画像を閲覧したり編集したりし易くなるため、画像が見やすく一画面上に複数の画像が表示されたレイアウトデータを容易に作成することができる。
【００７７】
本実施形態では、レイアウトフォーム内における画像を挿入する対象となる画像レイアウト枠を指定する処理は、ユーザーにより表示装置１の操作キー１１３または操作ボタン１１４が操作されることによりカメラアイコンを移動させた。ところが、画像レイアウト枠の指定処理では、操作キーや操作ボタン操作の代わりに表示装置１に接続されたマウスがユーザーにより操作されることによってカメラアイコンを移動させてもよい。
【００７８】
また、ユーザーの操作によりカメラアイコンを移動させるのではなく、撮像装置２に備えた傾きセンサ２２２を用いて、画像を挿入する対象となる画像レイアウト枠の選択を行ってもよい。この場合、撮像装置２本体を回転させることにより、現在選択されている画像レイアウト枠を、画像を挿入する対象から解除する。そして、隣接する画像レイアウト枠を、画像を挿入する対象となる画像レイアウト枠として指定してもよい。
【００７９】
具体的には、傾きセンサ２２２が撮像装置２本体の傾きを検出すると、傾きセンサ制御部２２１は、撮像装置２本体の傾斜角や回転速度といった情報をＣＰＵ２０１に送り、無線通信部２１０により、その情報を表示装置１に送信する。表示装置１は、無線通信部１１０により、撮像装置２本体の傾斜角や回転速度といった情報を受信し、この情報に基づいて、前述した処理を行ってもよい。
【００８０】
（第２の実施形態）
本実施形態では、光近接センサによって画像を挿入する対象となる画像レイアウト枠を指定する例について説明する。本実施形態では、図４のステップＳ１５２の処理を、図１７に示すフローチャートに従って行うことにより、光近接センサによって画像を挿入する対象となる画像レイアウト枠を指定する。なお、本実施形態の表示装置及び撮像装置の構成については、第１の実施形態と同様であるため、説明は省略する。
【００８１】
図１７は、本実施形態における画像レイアウト枠を指定する処理手順の一例を示すフローチャートである。なお、図１７に示す処理は、ＣＰＵ１０１の制御によって行われる。
まず、図１７のステップＳ１７１において、光近接センサ制御部１２１により、液晶表示器１０６に埋め込まれるように配設されている発光センサ１２２をＯＮにする。次に、ステップＳ１７２において、光近接センサ制御部１２１により、液晶表示器１０６に埋め込まれるように配設されている受光センサ１２３をＯＮにする。
【００８２】
次に、ステップＳ１７３において、光近接センサ制御部１２１は、射出手段として機能する発光センサ１２２から発した光が撮像装置２に反射して入射手段として機能する受光センサ１２３に入射されたか否かを判断する。この判断の結果、受光センサ１２３に入射されていない場合は、そのまま待機し、入射された場合は、ステップＳ１７４に進む。そして、ステップＳ１７４において、光近接センサ制御部１２１は取得手段として機能し、受光センサ１２３に入射されている部分のマトリクスの中心座標値を取得する。
【００８３】
次に、ステップＳ１７５において、取得した中心座標値に基づいて画像を挿入する対象となる画像レイアウト枠を指定する。そして、ステップＳ１７６において、光近接センサ制御部１２１は、受光センサ１２３をＯＦＦにし、ステップＳ１７７において、発光センサ１２２をＯＦＦにし、画像レイアウト枠指定処理を終了する。
【００８４】
具体的に説明するために、ユーザーにより撮像装置２本体が表示装置１の近くに移動され、液晶表示器１０６に表示されている画像レイアウト枠の領域に撮像装置２が近接している時の表示装置１及び撮像装置２の表示例について、図１８を参照しながら説明する。図１８に示すように、例えば、第２の画像レイアウト枠１５２内の領域に撮像装置２が近接し、発光センサ１２２から発した光が撮像装置２に反射して受光センサ１２３に入射されると、第２の画像レイアウト枠１５２の表示枠を強調する。そして、ユーザーに対して選択中であることを明示する。
【００８５】
一方、撮像装置２の液晶表示器２０６には、メモリソケット２０９に挿入された記憶媒体に記憶されている画像データの画像を表示する。そして、ユーザーに対して選択中の画像データに相当する「画像７」が転送可能な状態であることを明示する文字及びアイコンを表示する。
【００８６】
次に、ステップＳ１７４で、液晶表示器１０６における撮像装置２の座標値を取得する際の概念図を図１９に示す。図１９に示す例では、第２の画像レイアウト枠１５２のＸ領域はＸ１からＸ２までと定義し、Ｙ領域はＹ１からＹ２までと定義している。また、表示装置１の発光センサ１２２及び受光センサ１２３は、図１９に示すように、表示装置１の液晶表示器１０６のドットの中に埋め込まれるように配設されている。
【００８７】
例えば、表示装置１の液晶表示器１０６に表示されている第２の画像レイアウト枠１５２内に撮像装置２が近接する。すると、表示装置１の光近接センサ制御部１２１により、発光センサ１２２から発した光が撮像装置２に反射して受光センサ１２３に入射している部分のマトリクスの中心座標値（Ｘ、Ｙ）を取得する。そして、レイアウトフォームに表示されている第１の画像レイアウト枠１５１〜第３の画像レイアウト枠１５３のＸ領域及びＹ領域の中から、マトリクス中心座標値（Ｘ、Ｙ）を内包する画像レイアウト枠を指定する。すなわち、マトリクス中心座標値（Ｘ、Ｙ）を内包する第２の画像レイアウト枠１５２を、画像を挿入する対象となる画像レイアウト枠として指定する。
【００８８】
以上のように本実施形態によれば、受光センサから撮像装置の位置を検出し、その位置に応じて画像レイアウト枠を指定するようにしたので、画像レイアウト枠を指定するためのユーザーによる手動操作を少なくすることができる。さらに、画像レイアウト枠の指定に係るユーザーインターフェースがユーザーにとって直感的となるため、画像が見やすく一画面上に複数の画像が表示されたレイアウトデータを容易に作成することができる。
【００８９】
なお、画像レイアウト枠を指定した後に、ユーザーにより撮像装置２が表示装置１から遠ざけられ、受光センサ１２３に光が入射されなくなった場合に、画像レイアウト枠の指定を解除するようにしてもよい。
【００９０】
（第３の実施形態）
本実施形態では、無線近接アンテナを用いて画像を挿入する対象となる画像レイアウト枠を指定する例について説明する。本実施形態では、図４のステップＳ１５２の処理を、図２０に示すフローチャートに従って行うことにより、無線近接アンテナを用いて画像を挿入する対象となる画像レイアウト枠を指定する。なお、本実施形態の表示装置及び撮像装置の構成については、第１の実施形態と同様であるため、説明は省略する。
【００９１】
図２０は、本実施形態における画像レイアウト枠を指定する処理手順の一例を示すフローチャートである。なお、図２０に示す処理は、ＣＰＵ１０１の制御によって行われる。
まず、図２０のステップＳ１８１において、無線近接アンテナ制御部１２４により、表示装置１の枠体に配設されている第１の無線近接アンテナ１２５をＯＮにする。次に、ステップＳ１８２において、無線近接アンテナ制御部１２４により、表示装置１の枠体に配設されているもう一方の第２の無線近接アンテナ１２６をＯＮにする。
【００９２】
次に、ステップＳ１８３において、無線通信部１１０及び無線近接アンテナ制御部１２４は無線信号受信手段として機能する。そして、通信アンテナ１１１、第１の無線近接アンテナ１２５及び第２の無線近接アンテナ１２６を介して、撮像装置２から発している無線信号の強弱を検出する。そして、無線信号が所定値よりも強いものであるか否かを判断する。この判断の結果、無線信号の強さが所定値以下である場合はそのまま待機し、無線信号が所定値よりも強いものである場合は、ステップＳ１８４に進む。そして、ステップＳ１８４において、無線近接アンテナ制御部１２４は取得手段として機能し、撮像装置２の中心座標値を取得する。
【００９３】
次に、ステップＳ１８５において、取得した中心座標値に基づいて画像を挿入する対象となる画像レイアウト枠を指定する。そして、ステップＳ１８６において、無線近接アンテナ制御部１２４により、第１の無線近接アンテナ１２５をＯＦＦにし、ステップＳ１８７において、第２の無線近接アンテナ１２６をＯＦＦにし、画像レイアウト枠指定処理を終了する。
【００９４】
ユーザーにより撮像装置２本体が表示装置１の近くに移動され、表示装置１の液晶表示器１０６に表示されている画像レイアウト枠の領域に近接した時の、表示装置１及び撮像装置２の表示例は、第２の実施形態２で説明した図１８に示す例と同様である。図１８において、例えば、第２の画像レイアウト枠１５２内の領域に撮像装置２が近接すると、第２の画像レイアウト枠１５２の表示枠を強調して、ユーザーに対して選択中であることを明示する。
【００９５】
一方、撮像装置２の液晶表示器２０６には、メモリソケット２０９に挿入された記憶媒体に記憶されている画像データの画像を表示する。そして、ユーザーに対して選択中の画像データに相当する「画像７」が転送可能な状態であることを明示する文字及びアイコンを表示する。
【００９６】
具体的に説明するために、ステップＳ１８４で液晶表示器１０６における撮像装置２の座標値を取得する際の概念図を図２１に示す。図２１に示す例では、第２の画像レイアウト枠１５２のＸ領域はＸ１からＸ２までと定義し、Ｙ領域はＹ１からＹ２までと定義している。また、表示装置１の第１の無線近接アンテナ１２５及び第２の無線近接アンテナ１２６は、図２１に示すように、表示装置１の枠体に配設されている。
【００９７】
例えば、表示装置１の液晶表示器１０６に表示されている第２の画像レイアウト枠１５２内に撮像装置２が近接する。すると、表示装置１の無線通信部１１０により、通信アンテナ１１１から無線通信路１８０を介して無線信号の強弱を検出する。さらに、無線近接アンテナ制御部１２４により、第１の無線近接アンテナ１２５及び第２の無線近接アンテナ１２６からそれぞれ第１の無線信号経路１９１及び第２の無線通信経路１９２を介して無線信号の強弱を検出する。
【００９８】
無線信号の検出の結果、無線信号が所定値よりも強いものである場合、無線近接アンテナ制御部１２４は、撮像装置２が近接していると判断し、撮像装置２の中心座標値（Ｘ、Ｙ）を取得する。そして、レイアウトフォームに表示されている第１の画像レイアウト枠１５１〜第３の画像レイアウト枠１５３のＸ領域及びＹ領域の中から、中心座標値（Ｘ、Ｙ）を内包するレイアウト枠を指定する。すなわち、中心座標値（Ｘ、Ｙ）を内包する第２の画像レイアウト枠１５２を、画像を挿入する対象となる画像レイアウト枠として指定する。
【００９９】
なお、画像レイアウト枠を指定した後に、ユーザーにより撮像装置２が表示装置１から遠ざけられ、無線信号が所定値よりも弱くなった場合に、画像レイアウト枠の指定を解除するようにしてもよい。
【０１００】
次に、表示装置１側でレイアウトフォーム及び画像レイアウト枠を定義せず、撮像装置２から送信された画像データの画像を挿入する概念について、図２２を参照しながら説明する。図２２は、表示装置１の液晶表示器１０６に撮像装置２が近接した時において、画像レイアウト枠を定義しない場合の表示装置１におけるユーザーインターフェースの表示例を示す図である。
【０１０１】
図２２に示す例では、ユーザーにより表示装置１の液晶表示器１０６に撮像装置２が近接すると、表示装置１は無線近接アンテナによる近接検出により、撮像装置２の中心座標値（Ｘ、Ｙ）を取得する。そして、撮像装置２から画像データが送信され、表示装置１では、撮像装置２の中心座標値（Ｘ、Ｙ）の近傍に、受信した画像データに基づく画像を表示する。
【０１０２】
この場合、受信した画像データの画像を表示する位置は、撮像装置２の中心座標値（Ｘ、Ｙ）を原点として、ある位置を相対的に規定して表示する。また、表示装置１の液晶表示器１０６に表示される画像の表示サイズは特に限定するものではない。画像の表示サイズは、表示装置１のシステム設定を変更することにより表示制御部１０５の制御によって拡大したり縮小したりできるようにしてもよい。
【０１０３】
なお、第２の実施形態で説明した方法により撮像装置２の中心座標値（Ｘ、Ｙ）を取得した場合においても、画像レイアウト枠を定義せず、撮像装置２の中心座標値（Ｘ、Ｙ）の近傍に、受信した画像データに基づく画像を表示するようにしてもよい。
【０１０４】
以上のように本実施形態によれば、無線近接アンテナから撮像装置の位置を検出し、その位置に応じて画像レイアウト枠を指定するようにしたので、画像レイアウト枠を指定するためのユーザーによる手動操作を少なくすることができる。さらに、画像レイアウト枠の指定に係るユーザーインターフェースがユーザーにとって直感的となるため、画像が見やすく一画面上に複数の画像が表示されたレイアウトデータを容易に作成することができる。
【０１０５】
さらに、無線近接アンテナを用いて近接検出を行う場合、表示装置側でレイアウトフォーム及び画像レイアウト枠を定義しないで撮像装置から送信された画像データに基づく画像を挿入することが可能になる。
【０１０６】
（本発明に係る他の実施形態）
前述した第１〜第３の実施形態では、表示装置１と撮像装置２とは無線通信により接続されているものとして説明したが、無線接続と同様に１対１の通信リンクが確立でき、ステータスやデータの送受信を行うことができれば、有線接続でも構わない。また、第１〜第３の実施形態では、レイアウトフォームを表示装置１側に表示し、撮像装置２側で画像データを選択したが、この構成によって本発明が限定されるものではない。すなわち、レイアウトフォームを撮像装置２側に表示し、表示装置１側で画像データを選択してもよい。
【０１０７】
さらに、第１〜第３の実施形態では、表示装置１及び撮像装置２の表示手段として液晶表示器を用いて説明したが、本発明を適用できる表示手段は液晶表示器に限ったものではない。すなわち、レイアウトフォームや画像を表示する表示手段として、例えばプラズマディスプレイパネル（ＰＤＰ）、フィールドエミッションディスプレイ（ＦＥＤ）、カソードレイチューブ（ＣＲＴ）などを用いてもよい。
【０１０８】
また、第１〜第３の実施形態では、表示装置１と無線通信を行う相手機器として、撮像装置２を用いて説明したが、画像を表示することができ、表示装置１と接続する手段を有する情報処理装置であれば何でもよい。また、本発明の画像表示装置は、表示手段を有する情報処理装置（例えば、プリンタ装置など）であればよく、表示装置１に限定するものではない。
【０１０９】
さらに、第２及び第３の実施形態では、表示装置１と撮像装置２との近接を検出する手段及び撮像装置２の中心座標値を取得する手段として光近接センサまたは無線近接アンテナを用いて説明したが、この構成によって本発明が限定されるものではない。すなわち、物体の近接と座標値とを取得する手段として、例えば音波センサや、静電センサなどを用いてもよい。
【０１１０】
本発明の目的は、以下の様にして達成することも可能である。まず、前述した実施形態の機能を実現するソフトウェアのプログラムコードを記録した記録媒体を、システムあるいは装置に供給する。そして、そのシステムあるいは装置のコンピュータ（またはＣＰＵやＭＰＵ）が記録媒体に格納されたプログラムコードを読み出し実行する。この場合、記録媒体から読み出されたプログラムコード自体が前述した実施形態の機能を実現することになり、そのプログラムコードを記録したコンピュータ読み取り可能な記録媒体は本発明を構成することになる。
【０１１１】
また、コンピュータが読み出したプログラムコードを実行することにより、前述した実施形態の機能が実現されるだけでなく、以下のようにして達成することも可能である。即ち、読み出したプログラムコードの指示に基づき、コンピュータ上で稼働しているオペレーティングシステム（ＯＳ）などが実際の処理の一部または全部を行い、その処理によって前述した実施形態の機能が実現される場合である。
【０１１２】
ここでプログラムコードを記録する記録媒体としては、例えば、フレキシブルディスク、ハードディスク、ＲＯＭ、ＲＡＭ、磁気テープ、不揮発性のメモリーカード、ＣＤ−ＲＯＭ、ＣＤ−Ｒ、ＤＶＤ、光ディスク、光磁気ディスク、ＭＯなどが考えられる。また、ＬＡＮ（ローカル・エリア・ネットワーク）やＷＡＮ（ワイド・エリア・ネットワーク）などのコンピュータネットワークを、プログラムコードを供給するために用いることができる。
【０１１３】
また、本発明は、例えば、システム、装置、方法、プログラムもしくは記録媒体等としての実施形態も可能であり、具体的には、複数の機器から構成されるシステムに適用してもよいし、また、一つの機器からなる装置に適用してもよい。
【０１１４】
なお、本発明は、前述した実施形態の機能を実現するソフトウェアのプログラム（実施形態では図４、６、１７、２０に示すフローチャートに対応したプログラム）を、システムまたは装置に直接、または遠隔から供給する場合も含む。そして、そのシステムまたは装置のコンピュータが前記供給されたプログラムコードを読み出して実行することによっても達成される場合を含む。
【０１１５】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【０１１６】
その場合、プログラムの機能を有していれば、オブジェクトコード、インタプリタにより実行されるプログラム、ＯＳに供給するスクリプトデータ等の形態であってもよい。
【０１１７】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記録媒体にダウンロードすることによっても供給できる。
【０１１８】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザーに対してダウンロードさせるＷＷＷサーバも、本発明に含まれるものである。
【０１１９】
また、その他の方法として、本発明のプログラムを暗号化してＣＤ−ＲＯＭ等の記録媒体に格納してユーザーに配布し、所定の条件をクリアしたユーザーに対し、インターネットを介してホームページから暗号化を解く鍵情報をダウンロードさせる。そして、その鍵情報を使用することにより暗号化されたプログラムを実行してコンピュータにインストールさせて実現することも可能である。
【０１２０】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【０１２１】
さらに、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【０１２２】
【図１】本発明の第１の実施形態に係る表示装置と撮像装置とが、無線通信による接続が確立した状態のユーザーインターフェースの表示例を示す図である。
【図２】本発明の第１の実施形態に係る表示装置の構成例を示すブロック図である。
【図３】本発明の第１の実施形態に係る撮像装置の構成例を示すブロック図である。
【図４】本発明の第１の実施形態において、表示装置と撮像装置との間における画像データの転送処理手順の一例を示すフローチャートである。
【図５】本発明の第１の実施形態において、レイアウトフォームを選択した時の表示装置及び撮像装置のユーザーインターフェースの表示例を示す図である。
【図６】図４のステップＳ１４２における画像を挿入する対象となる画像レイアウト枠を指定する処理手順の一例を示すフローチャートである。
【図７】本発明の第１の実施形態において、１枚目の画像を挿入する対象となる画像レイアウト枠を選択した時の表示装置及び撮像装置のユーザーインターフェースの表示例を示す図である。
【図８】本発明の第１の実施形態において、表示装置のカメラアイコンの座標値を取得する際の概念を示す図である。
【図９】本発明の第１の実施形態において、撮像装置が表示装置から転送開始パラメータを受信し、転送開始パラメータを記憶した時の表示装置及び撮像装置のユーザーインターフェースの表示例を示す図である。
【図１０】本発明の第１の実施形態において、撮像装置で選択した１枚目の画像データを表示装置へ送信している時のユーザーインターフェースの表示例を示す図である。
【図１１】本発明の第１の実施形態において、１枚目の画像データの受信が終了した表示装置、及び１枚目の画像データの送信が終了した撮像装置のユーザーインターフェースの表示例を示す図である。
【図１２】本発明の第１の実施形態において、撮像装置が表示装置から２枚目の画像データの転送開始パラメータを受信した時の表示装置及び撮像装置のユーザーインターフェースの表示例を示す図である。
【図１３】本発明の第１の実施形態において、撮像装置で選択した２枚目の画像データを表示装置へ送信している時のユーザーインターフェースの表示例を示す図である。
【図１４】本発明の第１の実施形態において、２枚目の画像データの受信が終了した表示装置、及び２枚目の画像データの送信が終了した撮像装置のユーザーインターフェースの表示例を示す図である。
【図１５】本発明の第１の実施形態において、１枚目の画像データと２枚目の画像データとの送受信が終了した時の表示装置及び撮像装置のユーザーインターフェースの表示例を示す図である。
【図１６】本発明の第１の実施形態において、表示装置のＲＡＭにおける画像処理用メモリマップの使用概念の一例を示す図である。
【図１７】本発明の第２の実施形態において、画像レイアウト枠を指定する処理手順の一例を示すフローチャートである。
【図１８】本発明の第２の実施形態において、画像を挿入する対象となる画像レイアウト枠を選択した時の表示装置及び撮像装置のユーザーインターフェースの表示例を示す図である。
【図１９】本発明の第２の実施形態において、表示装置に近接した撮像装置の座標値を、表示装置の光近接センサ制御部により取得する際の概念を示す図である。
【図２０】本発明の第３の実施形態において、画像レイアウト枠を指定する処理手順の一例を示すフローチャートである。
【図２１】本発明の第３の実施形態において、表示装置に近接した撮像装置の座標値を、表示装置の無線近接アンテナを用いて取得する際の概念を示す図である。
【図２２】本発明の第３の実施形態において、表示装置側でレイアウトフォーム及び画像レイアウト枠を定義しない場合の画像を挿入する概念を示す図である。
【符号の説明】
【０１２３】
１  表示装置
２  撮像装置
１０１  ＣＰＵ
１０２  ＲＡＭ
１０３  ＲＯＭ
１０４  画像処理部
１０５  表示制御部
１０６  液晶表示器
１０７  発光ダイオード
１０８  外部記憶装置制御部
１０９  メモリソケット
１１０  無線通信部
１１１  通信アンテナ
１１２  操作制御部
１１３  操作キー
１１４  操作ボタン
１１５  デジタル映像信号制御部
１１６  デジタル映像信号コネクタ
１１７  アナログ映像信号制御部
１１８  アナログ映像信号コネクタ
１１９  ＵＳＢ制御部
１２０  ＵＳＢコネクタ
１２１  光近接センサ制御部
１２２  発光センサ
１２３  受光センサ
１２４  無線近接アンテナ制御部
１２５  第１の無線近接アンテナ
１２６  第２の無線近接アンテナ
【図１】
2009266023.tif 000003
【図２】
2009266023.tif 000004
【図３】
2009266023.tif 000005
【図４】
2009266023.tif 000006
【図５】
2009266023.tif 000007
【図６】
2009266023.tif 000008
【図７】
2009266023.tif 000009
【図８】
2009266023.tif 000010
【図９】
2009266023.tif 000011
【図１０】
2009266023.tif 000012
【図１１】
2009266023.tif 000013
【図１２】
2009266023.tif 000014
【図１３】
2009266023.tif 000015
【図１４】
2009266023.tif 000016
【図１５】
2009266023.tif 000017
【図１６】
2009266023.tif 000018
【図１７】
2009266023.tif 000019
【図１８】
2009266023.tif 000020
【図１９】
2009266023.tif 000021
【図２０】
2009266023.tif 000022
【図２１】
2009266023.tif 000023
【図２２】
2009266023.tif 000024